(57)【要約】【課題】ウォブルトラックに対して確実にＰＬＬの引き込みを行い、所望のトラックに対するデータの記録再生を速やかに開始できる光ディスク装置を提供することにある。【解決手段】本発明の光ディスク装置では、ランドトラックおよびグルーブトラックが交互に配列されたトラック列がスパイラル状に形成された光ディスクを記録媒体として利用する。本発明では、ステップＳ１で目的トラックの１トラック手前に位置するトラックにシークし、ＰＬＬの引き込み動作を開始する。そのトラックでＰＬＬの引き込み動作を開始し、ステップＳ３でＰＬＬの引き込み動作を完了したか否かを判断する。ＰＬＬの引き込みを完了した場合は、トラックジャンプを行うことなく、スパイラル状に延びるトラック列を追従し（ステップＳ４）、目的トラックに達してからデータの記録または再生を実行する（ステップＳ５）。【選択図】図９
2006164495.tif 000002
【特許請求の範囲】
【請求項１】
ランドトラックおよびグルーブトラックが交互に配列されたトラック列がスパイラル状に形成された光ディスクの前記トラック列にデータを記録すること、および前記トラック列からデータを再生することの少なくとも一方を実行する光ディスク装置であって、
光ビームを放射する光源と、
前記光ビームを集束するレンズと、
前記レンズを移動させる移動手段と、
前記光ディスクで反射された前記光ビームの少なくとも一部に基づいて電気信号を生成する光検出器と、
前記光源および移動手段を制御する制御部と、
を備え、
前記制御部は、前記光ディスクにおいてデータの記録または再生を開始する目的トラックを前記光ビームで照射するために前記移動手段によって前記レンズを移動させるシーク動作を行うとき、前記トラック列において前記目的トラックの少なくとも１トラック手前に位置するトラックを前記光ビームで照射してＰＬＬの引き込み動作を実行する、光ディスク装置。
【請求項２】
前記制御部は、前記目的トラックを前記光ビームで照射してＰＬＬの引き込み動作を所定回数だけ実行したが、前記目的トラックでデータの記録再生を開始できなかった場合に、前記トラック列において前記目的トラックの少なくとも１トラック手前に位置するトラックを前記光ビームで照射してＰＬＬの引き込み動作を実行する、請求項１に記載の光ディスク装置。
【請求項３】
前記制御部は、前記ＰＬＬの引き込み動作を開始した後、トラックジャンプを行うことなくスパイラル状に延びるトラック列を追従し、前記目的トラックに達してからデータの記録または再生を実行する、請求項１または２に記載の光ディスク装置。
【請求項４】
前記制御部は、前記ＰＬＬの引き込み動作を完了する前に前記目的トラックにおける記録開始位置を通過した場合、前記目的トラックまたは前記目的トラックよりも１トラック手前のトラックに戻ってＰＬＬの引き込み動作を再度行う、請求項３に記載の光ディスク装置。
【請求項５】
前記光ディスクはＤＶＤ−ＲＡＭまたはＨＤ−ＤＶＤである請求項１に記載の光ディスク装置。
【請求項６】
ランドトラックおよびグルーブトラックが交互に配列されたトラック列がスパイラル状に形成された光ディスクの前記トラック列にデータを記録すること、および前記トラック列からデータを再生することの少なくとも一方を実行する光ディスク装置であって、
光ビームを放射する光源と、
前記光ビームを集束するレンズと、
前記レンズを移動させる移動手段と、
前記光ディスクで反射された前記光ビームの少なくとも一部に基づいて電気信号を生成する光検出器と、
前記光源および移動手段を制御する制御部と、
を備え、
前記制御部は、前記光ディスクにおいてデータの記録または再生を開始する目的トラックを前記光ビームで照射するために前記移動手段によって前記レンズを移動させるシーク動作を行うとき、前記目的トラック以外のトラックでＰＬＬの引き込み動作を完了した場合、ＰＬＬをホールドしたまま、前記光ビームの照射位置を前記目的トラックまで移動させる第１ステップと、前記目的トラックに対してデータの記録または再生を行う第２ステップとを実行する、光ディスク装置。
【請求項７】
前記第１ステップでは、ＰＬＬをホールドしたまま、前記移動手段により前記レンズを前記光ディスクの中心側または外周側に移動させることにより、前記光ビームの照射位置を前記目的トラックに移動させる、請求項６に記載の光ディスク装置。
【請求項８】
ランドトラックおよびグルーブトラックが交互に配列されたトラック列がスパイラル状に形成された光ディスクの前記トラック列にデータを記録すること、および前記トラック列からデータを再生することの少なくとも一方を実行する光ディスク装置の駆動方法であって、
前記光ディスクにおいてデータの記録または再生を開始する目的トラックを光ビームで照射するためのシーク動作を行う工程と、
前記トラック列において前記目的トラックの少なくとも１トラック手前に位置するトラックでＰＬＬの引き込み動作を実行する工程と、
前記目的トラックの少なくとも１トラック手前に位置するトラックで前記ＰＬＬの引き込み動作を開始した後、トラックジャンプを行うことなくスパイラル状に延びるトラック列を追従し、前記目的トラックに達してからデータの記録または再生を実行する工程と、
を包含する光ディスク装置の駆動方法。
【請求項９】
前記目的トラックの少なくとも１トラック手前に位置するトラックでＰＬＬの引き込み動作を実行する前に、前記目的トラックでＰＬＬの引き込み動作を実行する工程を含み、
前記目的トラックでＰＬＬの引き込みに所定回数失敗したとき、前記目的トラックの少なくとも１トラック手前に位置するトラックでＰＬＬの引き込み動作を実行する、請求項８に記載の光ディスク装置の駆動方法。
【発明の詳細な説明】
【技術分野】
【０００１】
本発明は、光ディスクにデータを記録すること、および光ディスクからデータを再生することの少なくとも一方を行う光ディスク装置に関する。
【背景技術】
【０００２】
光ディスクに記録されているデータは、比較的弱い一定の光量の光ビームを回転する光ディスクに照射し、光ディスクによって変調された反射光を検出することによって再生される。
【０００３】
ＤＶＤ−ＲＡＭなどの書き換え可能な光ディスクでは、スパイラル状のランド／グルーブが形成された基材の表面に、光学的にデータの記録再生が可能な記録材料膜が蒸着等の方法によって堆積されている。ＤＶＤ−ＲＡＭにデータを記録する場合は、記録すべきデータに応じて光量を変調した光ビームを光ディスクに照射し、それによって記録材料膜の特性を局所的に変化させる。光ビームの照射により、記録材料膜には、未照射領域に比べて屈折率の変化した領域（以下、「記録マーク」と称する。）が形成される。同一トラック上において隣接する２つの記録マークの間は「スペース」と称される。記録マークおよびスペースの長さを調節することにより、ユーザデータを書き込むことができる。
【０００４】
なお、ランド／グルーブの凹凸段差や記録材料膜の厚さは、光ディスク基材の厚さに比べて小さい。このため、光ディスクにおいてデータが記録される部分は、２次元的な面を構成しており、「情報記録面」と称される場合がある。本明細書では、このような情報記録面が深さ方向にも物理的な大きさを有していることを考慮し、「情報記録面」の語句を用いる代わりに、「情報記録層」の語句を用いることとする。光ディスクは、このような情報記録層を少なくとも１つ有している。なお、１つの情報記録層が、現実には、相変化材料層や反射層などの複数の層を含んでいてもよい。
【０００５】
図１（ａ）から（ｄ）は、ＤＶＤ−ＲＡＭの構成を示す図面である。図１（ｄ）は、ＤＶＤ−ＲＡＭの規格に従って作製された光ディスク１００のトラック構造を概略的に示している。図１（ｂ）は、図１（ｄ）の破線で囲まれた領域を拡大した平面図である。図１（ａ）は、図１（ｂ）の矢印Ａの左側部分の断面図であり、図１（ｃ）は、図１（ｂ）の矢印Ａの右側部分の断面図である。
【０００６】
図１（ａ）から（ｄ）に示されるように、光ディスク１００の基材表面には、ランドトラックおよびグルーブトラックが交互に配列されたトラック列がスパイラル状に形成されている。個々のトラックは、光ディスクの１回転に対応する長さを有しており、図１（ｂ）の矢印Ａで示される位置でグルーブトラックはランドトラックに切り替わり、ランドトラックはグルーブトラックに切り替わる。なお、このような凹凸を有する基材表面には、不図示の情報記録層や保護層が堆積されている。
【０００７】
光ディスク１００にデータを記録するとき、あるいは光ディスク１００に記録されているデータを再生するとき、光ビームは情報記録層の目的トラック上で常に所定の集束状態となる必要がある。このためには、「フォーカス制御」および「トラッキング制御」が必要となる。「フォーカス制御」は、光ビームの焦点の位置が常に情報記録層上に位置するように対物レンズの位置を情報記録面の法線方向（以下、「基板の深さ方向」と称する。）に制御することである。一方、トラッキング制御とは、光ビームのスポットが所定のトラック上に位置するように対物レンズの位置を光ディスクの半径方向（以下、「ディスク径方向」と称する。）に制御することである。
【０００８】
ここで光ビームが対物レンズによって集束され、その結果、光ディスク１００の情報記録層上にビームスポットが形成された状態を考える。具体的には、図１（ｂ）に示す位置にビームスポットが形成され、光ディスク１００が反時計回りに回転すると仮定する。この場合、図１（ｂ）に示すビームスポットは、光ディスク１００が回転すると、ランドトラックに沿って矢印Ｂ１の方向に移動する。光ディスク１００が１回転すると、ランドトラック上の光ビームスポットは、矢印Ｂ２に沿って再び図１（ｂ）の破線枠内に戻ってくる。このとき、ビームスポットは光ディスク１００の外周側に位置している。光ディスク１００が更に回転すると、ビームスポットは、図１（ｂ）の矢印Ａで示される境界線を超え、矢印Ｃ１に沿って右に移動する。ビームスポットは、境界線を超えるとき、ランドトラックからグルーブトラックに移動することになる。光ディスク１００が更に一回転すると、グルーブトラック上を移動していたビームスポットは矢印Ｃ２に沿って矢印Ａの境界線を超えることになる。このときのビームスポットは、グルーブトラックからランドトラックに移動する。
【０００９】
このように、ＤＶＤ−ＲＡＭ規格に従って作製された光ディスク１００では、ランドトラックおよびグルーブトラックの両方に対してデータの記録再生が行われる。光ディスク１００では、交互に並んだランドトラックおよびグルーブトラックがスパイラル状に延び、ランドトラックとグルーブトラックとの切り替わり位置は、矢印Ａで示される境界線で規定される。
【００１０】
このように光ディスク１００が１回転するたびに、ビームスポットは１トラックだけディスク外周側に移動することになる。したがって、光ディスク１００を回転させながら、ビームスポットを長時間にわたって同一トラック上に位置させるためには、光ディスク１００が１回転するごとに、ビームスポットの位置を１トラックだけディスク内周側に移動させる必要がある。このような動作は、「スチルジャンプ」または「リトレースジャンプ」と呼ばれる。
【００１１】
図２（ａ）は、光ビームが対物レンズによって光ディスク１００のランドトラック上に集束している状態を模式的に示す断面図である。図２（ｂ）は、ランド／グルーブトラックの一部を示す平面図である。図２（ｂ）に示されるように、ランド／グルーブトラックは、所定の周期で蛇行（ウォブル）している。このウォブルは、再生信号の強度を比較的大きな周期で変調する。ロー・パス・フィルタにより、再生信号からウォブルに起因する周期的変動を抽出すると、ウォブル検出信号を生成することができる。ウォブル検出信号の周期は、光ディスク１００のランド／グルーブトラックの蛇行周期に対応しており、クロック信号の基準として用いられる。より具体的には、光ディスク１００におけるトラックのウォブルは、ヘッダデータに対して周波数および位相が一定となるように形成されている。このため、ウォブル検出信号に基づいてＰＬＬ（Phase Locked Loop）制御を行い、ＶＣＯ（Voltage Control Oscillator）の発振周波数を調節すれば、ヘッダデータを再生するために必要なタイミング信号を生成する基準信号を生成できる。このようなウォブルトラックを有する光ディスクは、例えば特許文献１、２に開示されている。
【特許文献１】特開２００１−２６６３５８号公報
【特許文献２】特開平１１−２９６９１１号公報
【発明の開示】
【発明が解決しようとする課題】
【００１２】
図２（ａ）に示すような断面形状の違いに起因して、ランドトラックとグルーブトラックとの間には記録再生特性に差異が存在する。従来、ランドトラックの記録再生特性とグルーブトラックの記録再生特性とを等しくするため、グルーブトラックの幅に対するランドトラックの幅の比率（Ｌ／Ｇ比）を１以外の数値に設定する場合があった。
【００１３】
図３（ａ）は、Ｌ／Ｇ比が１の場合の記録マークとランドトラックとの関係を示す平面図であり、図３（ｂ）は、その場合における光ビームの照射を示す断面図である。図３（ｃ）は、このような記録マークが形成されたランドトラックから再生されたウォブル再生信号を示す図である。一方、図４（ａ）は、Ｌ／Ｇ比が１より小さい場合の記録マークとランドトラックとの関係を示す平面図であり、図４（ｂ）は、その場合における光ビームの照射を示す断面図である。図４（ｃ）は、このような記録マークが形成されたランドトラックから再生されたウォブル再生信号を示す図である。
【００１４】
Ｌ／Ｇ比率が１より小さい場合、すなわち、ランドトラックがグルーブトラックよりも狭い場合は、オフトラックが生じると、図４（ａ）および（ｂ）に示すように、記録マークがランドトラックの外側にはみ出すことがある。記録マークの一部がランドトラックのエッジを超えると、図４（ｃ）に示すように、記録マークの影響によりウォブル信号にノイズが発生するため、ウォブル信号を安定に検出できなくなる。ウォブル信号を安定に検出できないと、ＰＬＬの引き込みを達成できないという問題が発生する。また、ＰＬＬの引き込みが可能であっても、そのために要する時間が長くなる結果、一旦ＰＬＬの引き込みが達成されたとしても、その時点では目的トラックを行き過ぎていることが多くなる。そのような事態が生じると、ＰＬＬ引き込み動作をもう一度やりなおすこと（リトレース）が必要になるため、一連のデータ記録及び再生を正常に開始できないという問題が発生する。例えば、記録再生を開始する目的のトラックが、図１（ｂ）に示すビームスポットが位置しているランドトラックであるとする。この目的トラックでＰＬＬの引き込みを開始しても、上述した理由により、目的トラックでＰＬＬの引き込みを完了できない場合がある。この場合、リトレースを行うためには、矢印Ｂ２に沿って移動してきたビームスポットを、ディスク内周側に１トラックだけジャンプさせ、もう一度、目的トラックにてＰＬＬ引き込みをリトライすることになる。しかしながら、当初のＰＬＬ引き込みに失敗した目的トラックは、ウォブル信号の品質が低いことなどに起因してＰＬＬの引き込みに不向きである可能性があり、リトライを何度行ってもＰＬＬの引き込みに失敗することがあった。
【００１５】
本発明は上記課題を解決するためになされたものであり、その主たる目的は、所望のトラックに対するデータの記録再生を速やかに開始できる光ディスク装置を提供することにある。
【課題を解決するための手段】
【００１６】
本発明の光ディスク装置は、ランドトラックおよびグルーブトラックが交互に配列されたトラック列がスパイラル状に形成された光ディスクの前記トラック列にデータを記録すること、および前記トラック列からデータを再生することの少なくとも一方を実行する光ディスク装置であって、光ビームを放射する光源と、前記光ビームを集束するレンズと、前記レンズを移動させる移動手段と、前記光ディスクで反射された前記光ビームの少なくとも一部に基づいて電気信号を生成する光検出器と、前記光検出器が生成する電気信号に基づいて前記光源および移動手段を制御する制御部とを備え、前記制御部は、前記光ディスクにおいてデータの記録または再生を開始する目的トラックを前記光ビームで照射するために前記移動手段によって前記レンズを移動させるシーク動作を行うとき、前記トラック列において前記目的トラックの少なくとも１トラック手前に位置するトラックを前記光ビームで照射してＰＬＬの引き込み動作を実行する。
【００１７】
好ましい実施形態において、前記制御部は、前記光ディスクにおいてデータの記録または再生を開始する目的トラックを前記光ビームで照射するために前記移動手段によって前記レンズを移動させるシーク動作を行うとき、前記目的トラックを前記光ビームで照射してＰＬＬの引き込み動作を所定回数だけ実行したが、前記目的トラックでデータの記録再生を開始できなかった場合に、前記トラック列において前記目的トラックの少なくとも１トラック手前に位置するトラックを前記光ビームで照射してＰＬＬの引き込み動作を実行する。
【００１８】
好ましい実施形態において、前記制御部は、前記ＰＬＬの引き込み動作を開始した後、トラックジャンプを行うことなくスパイラル状に延びるトラック列を追従し、前記目的トラックに達してからデータの記録または再生を実行する。
【００１９】
好ましい実施形態において、前記制御部は、前記ＰＬＬの引き込み動作を完了する前に前記目的トラックにおける記録開始位置を通過した場合、前記目的トラックまたは前記目的トラックよりも１トラック手前のトラックに戻ってＰＬＬの引き込み動作を再度行う。
【００２０】
好ましい実施形態において、前記光ディスクはＤＶＤ−ＲＡＭまたはＨＤ−ＤＶＤである。
【００２１】
本発明による他の光ディスク装置は、ランドトラックおよびグルーブトラックが交互に配列されたトラック列がスパイラル状に形成された光ディスクの前記トラック列にデータを記録すること、および前記トラック列からデータを再生することの少なくとも一方を実行する光ディスク装置であって、光ビームを放射する光源と、前記光ビームを集束するレンズと、前記レンズを移動させる移動手段と、前記光ディスクで反射された前記光ビームの少なくとも一部に基づいて電気信号を生成する光検出器と、前記光検出器が生成する電気信号に基づいて前記光源および移動手段を制御する制御部とを備え、前記制御部は、前記光ディスクにおいてデータの記録または再生を開始する目的トラックを前記光ビームで照射するために前記移動手段によって前記レンズを移動させるシーク動作を行うとき、前記目的トラック以外のトラックでＰＬＬの引き込み動作を完了した場合、ＰＬＬをホールドしたまま、前記光ビームの照射位置を前記目的トラックまで移動させる第１ステップと、前記目的トラックに対してデータの記録または再生を行う第２ステップとを実行する。
【００２２】
好ましい実施形態において、前記第１ステップでは、ＰＬＬをホールドしたまま、前記移動手段により前記レンズを前記光ディスクの中心側または外周側に移動させることにより、前記光ビームの照射位置を前記目的トラックに移動させる。
【００２３】
本発明による光ディスク装置の駆動方法は、ランドトラックおよびグルーブトラックが交互に配列されたトラック列がスパイラル状に形成された光ディスクの前記トラック列にデータを記録すること、および前記トラック列からデータを再生することの少なくとも一方を実行する光ディスク装置の駆動方法であって、前記光ディスクにおいてデータの記録または再生を開始する目的トラックを光ビームで照射するためのシーク動作を行う工程と、前記トラック列において前記目的トラックの少なくとも１トラック手前に位置するトラックでＰＬＬの引き込み動作を実行する工程と、前記目的トラックの少なくとも１トラック手前に位置するトラックで前記ＰＬＬの引き込み動作を開始した後、トラックジャンプを行うことなくスパイラル状に延びるトラック列を追従し、前記目的トラックに達してからデータの記録または再生を実行する工程とを包含する。
【００２４】
好ましい実施形態において、前記目的トラックの少なくとも１トラック手前に位置するトラックでＰＬＬの引き込み動作を実行する前に、前記目的トラックでＰＬＬの引き込み動作を実行する工程を含み、前記目的トラックでＰＬＬの引き込みに所定回数失敗したとき、前記目的トラックの少なくとも１トラック手前に位置するトラックでＰＬＬの引き込み動作を実行する。
【００２５】
好ましい実施形態において、前記電気信号からウォブル信号を抽出する抽出手段と、前記ウォブル信号に基づいて同期クロック信号を生成するＰＬＬ手段と、前記同期クロック信号に基づいて、前記トラック列に対するユーザデータの記録または前記トラック列に記録されたユーザデータの再生を行う記録再生手段とを備える。
【発明の効果】
【００２６】
本発明によれば、ウォブル信号の質が低下したトラックが存在しても、確実にＰＬＬの引き込みを行える、信頼性の高い光ディスク装置を提供することができる。
【発明を実施するための最良の形態】
【００２７】
本発明の光ディスク装置では、ランドトラックおよびグルーブトラックが交互に配列されたトラック列がスパイラル状に形成された光ディスクを記録媒体として利用する。このような光ディスクの典型例は、ＤＶＤ−ＲＡＭやＨＤ−ＤＶＤである。
【００２８】
前述したように、上記構成を有する光ディスクにおいてデータの記録再生を開始する目的トラックを光ビームで照射するためのシーク動作を行うとき、目的トラックから再生されるウォブル信号の品質が低く、ＰＬＬの引き込みを行えない場合がある。このような場合、性質の異なるランドトラックおよびグルーブトラックが交互に並んでいるため、目的トラックの１つ手前のトラックからは品質の高いウォブル信号を再生することができる。本発明では、目的トラックの少なくとも１トラック手前に位置するトラックでＰＬＬの引き込み動作を開始することにより、目的トラックにおいてデータを記録または再生を開始する位置に光ビームのスポットが達する前に、略確実にＰＬＬの引き込みを完了することが可能になる。
【００２９】
本発明では、目的トラックの少なくとも１トラック手前に位置するトラックを目指すシーク動作を行ってもよいが、従来どおり、シーク先は目的トラックに設定し、目的トラックでＰＬＬ引き込みを速やかに完了できなかったときのみ、目的トラックの手前のトラックに移動し、そのトラックでＰＬＬ引き込みのリトライを行うようにしてもよい。
【００３０】
（実施形態１）
図面を参照しながら、本発明による光ディスク装置の第１の実施形態を説明する。
【００３１】
まず、図５を参照する。図５は、本実施形態の構成を示すブロック図である。図５に示される光ディスク１００はＤＶＤ−ＲＡＭであり、前述したように、その内周から外周に向かって一本のトラック列がスパイラル状に形成されている。光ディスク１００の構成は、後でさらに詳しく説明する。光ディスク１００は、ディスクモータ１０１によって回転される。ディスクモータ１０１は、その回転の速度がドライバアンプ１０２によって制御され、回転数に応じたパルス信号をドライバアンプ１０２に出力する。
【００３２】
光学ピックアップ１０３は、回転する光ディスク１００に光ビームを照射し、そのトラックで反射されたビームを内蔵フォトダイオード（光検出器）などによって検出して、ＲＦ（Radio Frequency）信号を生成する。この光学ピックアップ１０３は、書き込むべきデータに応じて変調された光ビームを光ディスク１００に照射し、それによって記録マークの書き込みを行うこともできる。光学ピックアップ１０３は、公知の構成を備えており、具体的には、図示されていないが、光ビームを放射する光源と、光ビームを集束する対物レンズと、レンズを移動させる移動手段（レンズアクチュエータ）と、光ディスクで反射された光ビームの少なくとも一部に基づいて電気信号を生成する光検出器とを備えている。
【００３３】
ＲＦアンプ１０４は、光学ピックアップ１０３から出力されるＲＦ信号を増幅し、波形等化処理などを施すとともに、フォーカスエラー信号（ＦＥ信号）およびトラッキングエラー信号（ＴＥ信号）などを生成する。ＦＥ信号およびＴＥ信号は、サーボ制御回路１０５に送られる。さらに、ＲＦアンプ１０４はＲＦ信号からウォブル再生信号を生成し、ウォブル再生信号をバンド・パス・フィルタ（ＢＰＦ）１０６に出力する。また、ＲＦアンプ１０４は、光ディスク１００から読み出されたＲＦ信号のうち、再生すべきデータを記録再生回路１０７に出力する。
【００３４】
サーボ制御回路１０５は、ＲＦアンプ１０４から出力されるＦＥ信号およびＴＥ信号のゲインや位相を補償するとともに、光学ピックアップ１０３内のアクチュエータ（不図示）を駆動することによって、光学ピックアップ１０３でのフォーカスサーボおよびトラッキングサーボを実行する。このサーボ制御回路１０５は、光学ピックアップ１０３を光ディスク１００の径方向に移動させるためのスレッド機構（不図示）を制御する。さらに、ディスクモータ１０１から供給されるパルス信号のゲインや位相を補償するとともに、ドライバアンプ１０２を介して、光ディスク１００が線速度一定（ＣＬＶ：Constant Linear Velocity）で回転するようにサーボ制御を実行する。
【００３５】
ＢＰＦ１０６は、ＲＦアンプ１０４から出力されるウォブル再生信号の周波数を所定の周波数帯域内に制限するとともに、ウォブル再生信号からノイズ成分を除去したウォブル検出信号をコンパレータ１０８に出力する。コンパレータ１０８は、ＢＰＦ１０６から供給されるウォブル検出信号に二値化処理を行い、その二値化されたウォブル信号（ウォブル二値化信号）を周波数比較回路１０９および位相比較回路１１０に出力する。周波数比較回路１０９は、コンパレータ１０８から出力されるウォブル二値化信号の周波数とＶＣＯ１１３からの出力（詳しくは後で説明する。）を受け取り、両者を比較し、その周波数差信号をロー・パス・フィルタ（ＬＰＦ）１１１を介して加算器１１２に出力する。
【００３６】
位相比較回路１１０は、コンパレータ１０８で処理されたウォブル二値化信号の位相とＶＣＯ１１３からの出力の位相とを比較し、その位相誤差信号を、ＬＰＦ１１４を介して加算器１１２に出力する。加算器１１２は、ＬＰＦ１１１を介して供給されるＶＣＯ周波数制御信号とＬＰＦ１１４を介して供給されるＶＣＯ位相制御信号とを加算し、ＶＣＯ１１３を制御するためのＶＣＯ制御信号を生成する。
【００３７】
ＶＣＯ１１３は、加算器１１２から供給されるＶＣＯ制御信号に応じて発振し、その出力（ＰＬＬロックしたウォブル信号）を、位相比較回路１１０、周波数比較回路１０９、およびタイミング回路１１５に出力する。ＶＣＯ１１３は、周波数比較回路１０９に入力されるウォブル二値化信号とＶＣＯ出力との間で周波数差が無くなるようにＶＣＯ出力の周波数を調節する。同様にＶＣＯ１１３は、位相比較回路１１０に入力されるウォブル二値化信号とＶＣＯ出力との間で位相差が無くなるようにＶＣＯ出力の位相を調節する。本明細書において、「ＰＬＬの引き込みが完了する」とは、ＶＣＯ出力とウォブル二値化信号との間で周波数および位相が一致する状態になることを意味する。ＰＬＬの引き込みが完了すると、ＶＣＯ出力の周波数および位相は安定する。ＰＬＬの引き込みが完了し、ＰＬＬがロックされたとき、システムコントローラ２００は、ＶＣＯ出力が安定し、ＰＬＬがロックされたことを検知し、「ＰＬＬＯＫ」の信号を「Ｌｏｗ」から「Ｈｉｇｈ」に変化させる。
【００３８】
タイミング回路１１５は、システムコントローラ２００から出力されるＰＬＬＯＫを受け取ると、ＶＣＯ出力、すなわちＰＬＬロックしたウォブル信号（基準信号またはウォブルクロック信号）に基づいて、データ信号のヘッダデータを再生する際などのタイミング信号をタイミング回路１１５で発生し、それを記録再生回路１０７に出力する。このように、ＰＬＬの引き込みが完了すると、ウォブル再生信号に基づいて各種動作の基準となるウォブルクロック信号が生成される。記録再生回路１０７は、ＲＦアンプ１０４から出力されるＲＦ信号に基づいてデータを再生するため、再生データを２値化回路や復調回路、エラー訂正回路（不図示）を内蔵したシステムコントローラ２００に出力する。また記録再生回路１０７は、システムコントローラ２００より供給される光ディスク１００上に書き込むべきデータに基づいて記録データを加工し、この記録データを光学ピックアップ１０３内のレーザ駆動回路（不図示）に出力する。レーザ駆動回路は、この記録データに基づいて半導体レーザ（光源）を制御する。
【００３９】
本実施形態におけるＰＬＬ回路は、周波数比較回路１０９、ＬＰＦ１１１およびＶＣＯ１１３のループと、位相比較回路１１０、ＬＰＦ１１４およびＶＣＯ１１３のループとによって構成されている。このようなＰＬＬ回路の働きにより、光学ピックアップ１０３が光ディスク１００上から読み出したウォブル再生信号に基づいて、各種動作の基準となるウォブルクロック信号が生成される。
【００４０】
光ディスク装置は、ウォブル信号に同期して一連のデータの記録及び再生を行うが、光ディスク１００の回転数が所望のゾーンの規定回転数に達する以前であっても、ウォブル信号のＰＬＬの引き込みを安定して行うことができれば、データの記録および再生が可能である。よって通常は、記録（あるいは再生）を行うために所定のランドトラックまたはグルーブトラックに向けシーク動作を行い、当該トラックからのウォブル信号によってＰＬＬの引き込みを行った後、光ディスクの回転待ちを行い、所望のセクタから記録を開始する。しかしながら、本実施形態では、後に詳しく説明するように、記録または再生を開始する目的トラックに直接シークするのではなく、目的トラックの少なくとも１トラック手前（好ましくは１トラック手前）に位置するトラックにシークする。
【００４１】
Ｌ／Ｇ判定部２０１は、サーボ制御回路１０５から出力されるトラッキング誤差信号の極性（正または負）に基づき、現在のトラッキングの対象となる光ディスク１００のトラックがランドトラックであるかグルーブトラックであるかを検出し、この検出結果を示す極性信号（以下、「Ｌ／Ｇ信号」）を生成する。
【００４２】
システムコントローラ２００は、本発明の光ディスク装置における制御部として機能し、データの記録または再生を開始するとき、光ビームで目的トラックにアクセスするため、サーボ制御回路１０５を介してスレッド機構（不図示）を駆動し、光学ピックアップ１０３を移動させる。目的トラックにアクセスするためのシーク動作は、ＳＥＥＫ信号をサーボ制御回路１０５に送出することによって行う。光ビームのスポットが目的トラックに達した後、システムコントローラ２００はライトゲート信号を「Ｌｏｗ」から「Ｈｉｇｈ」に変化させる。この信号は、不図示のレーザ駆動回路に入力され、それによって光ピックアップ１０３内の光源（半導体レーザ）から放射された光ビームが光ディスク１００に照射される。このときの光ビームのパワー（記録パワー）は、データ読み出し時における光ビームのパワーに比べて大きく、光ディスク１００に記録マークを形成することができる。
【００４３】
次に、図６（ａ）および（ｂ）を参照して、光ディスク１００の構成を更に詳細に説明する。図６（ａ）は、光ディスク１００の全体を示す平面図であり、図６（ｂ）は、光ディスク１０上の一部のトラックを拡大して模式的に示す図である。
【００４４】
光ディスク１００の記録面は、図６（ａ）に示されるように、同心円状に複数のゾーンＺ0，Ｚ1，……，ＺNに分割され、それぞれのゾーンが複数のセクタに分割されている。各ゾーンのセクタ数は、内周から外周になるにつれて、１セクタずつ増える。この様なゾーンフォーマットの目的は、外側のゾーン程、トラック１周当たりのビット数を増加させ、１周の長さが相互に異なる各ゾーンのいずれにおいても、データの１ビットを記録再生するのに必要なディスク上の長さ（以下ピット長）をほぼ同じにして、記録容量を増やすことにある。これに伴って、内側のゾーン程、ディスクの回転数を上げ、各ゾーンのいずれにおいても、ビット信号の長さをほぼ同じにしている。
【００４５】
更に、各ゾーンのいずれにおいても、それぞれの回転数で、一定の回転数制御を行っている。このように各ゾーンのいずれかを走査するに際し、走査されるゾーンに対応する回転速度で光ディスク１００が回転させ、該ゾーンのトラックに対するデータの記録及び再生を行うことを、ゾーンＣＬＶ（Zone Constant Linear Velocity）と称す。
【００４６】
光ディスク１００の目的トラックに光学ピックアップ１０３を移動させる（シーク動作）とき、予め、目的トラックがどのゾーンに属するかが分かっている。したがって、システムコントローラ２００より、光ディスク１００の回転速度を該ゾーンに対応する回転速度に設定する。
【００４７】
図６（ｂ）は、１つのゾーンに含まれる複数のトラックＴ1，Ｔ2，……のうち、３つのトラックＴ1，Ｔ2，Ｔ3のみを例示している。各トラックＴ1，Ｔ2，……毎に、複数のセクタＳＥ1，ＳＥ2，……が形成されている。
【００４８】
光ディスク１００における１周のトラックは、ランドトラック及びグルーブトラックの一方から構成される。ランドトラックに隣接するトラックはグルーブトラックであり、グルーブトラックに隣接するトラックはランドトラックである。前述したように、ランドトラック及びグルーブトラックは、ディスク中心からディスク外周部に向かって交互に配列され、全体としてスパイラル状のトラック列が形成されている。本明細書では、スパイラル状に交互に配列されたランドトラックおよびグルーブトラックのそれぞれが１つのトラックを構成するものとする。すなわち、あるランドトラックから１トラックだけディスク外周側または内周側に移動すると、グルーブトラックが存在している。本明細書では、基準となるトラックに対して、ディスク内周側に隣接するトラックを「１トラック手前のトラック」と称することとする。
【００４９】
各セクタＳＥ1，ＳＥ2，……の先頭には、ランドトラック及びグルーブトラックのいずれも存在しないアドレス領域Ａ1，Ａ2，……が形成されている。これらのアドレス領域には、内周側あるいは外周側に１／２トラックピッチの距離をずらして、アドレスが記録されている。このようなアドレスは、「ＣＡＰＡ」と称されている。各セクタＳＥ1，ＳＥ2，……においては、アドレスに引き続いて、ランドトラック及びグルーブトラックのいずれかにデータが記録される。
【００５０】
以下、図７を参照しつつ、本実施形態の光ディスク装置に特徴的な動作を説明する。
【００５１】
図７は、システムコントローラ２００によって所望のトラックにシークし、データの記録を開始するまでの各種信号の波形を示している。図７の（ａ）、（ｂ）、（ｃ）、（ｄ）は、それぞれ、ＴＥ信号、Ｌ／Ｇ判定部２０１の信号（Ｌ／Ｇ信号）、ＰＬＬのロックを示すＰＬＬＯＫ信号、記録状態を示すライトゲート信号の各波形を示している。図７の（ｅ）は、光ディスク表面におけるランド（Ｌ）／グルーブ（Ｇ）の凹凸を模式的に示す図である。
【００５２】
図７に示すように、ランドトラックＡからランドトラックＢに向けてシークを行う。この例では、目的とする記録開始トラック（ランドトラックＢ）の１トラック手前のグルーブトラック（図７では、「−１」と記載している。）にアクセスするようにシーク動作を行ったが、シーク動作の途中、光ディスクの偏心などにより、ランドトラックＢから９トラック手前に位置するランドトラックに達している。
【００５３】
本実施形態において、シーク先をランドトラックＢではなく、その１トラック手前のトラックに設定した理由は、前述したようにＬ／Ｇ比が１より小さく設定されているなどの事情により、ランドトラックＢによるウォブル信号のジッタが悪いためである。そのような場合、ランドトラックＢにおけるＰＬＬの引き込みが遅れ、ＰＬＬの引き込みが完了したときには、既に、記録を開始するべきセクタを通過している可能性がある。このように、目的とするセクタを行き過ぎた場合、従来であれば、１トラックだけ外側のグルーブトラックからランドトラックＢにリトレースのためのジャンプ（トラックジャンプ）を行っていた。しかし、ランドトラックＢは、トラック幅が狭いなどの理由により、ＰＬＬの引き込みが困難なトラックであるため、再度のＰＬＬ引き込みにも時間がかかり、再度、目的セクタを通過する可能性が高い。
【００５４】
図７に示す例では、一旦はランドトラックＢよりも９トラック手前に位置するグルーブトラックに達したが、そのグルーブトラックにおいてＰＬＬの引き込みを実行することにより、そのトラックの物理アドレスを読み出し、現在の位置が目的とするランドトラックＢでないことを確認した。その後、更にトラックジャンプ（シーキングジャンプ）を行い、今度はランドトラックＢの３トラック手前のグルーブトラックに移動した。このトラックにおいてもＰＬＬの引き込みを実行し、物理アドレスを読み出すことにより、現在の位置が目的とするランドトラックＢでないことを確認した。更にトラックジャンプを行い、ランドトラックＢの１トラック手前のグルーブトラック（−１）に移動した。
【００５５】
前述のように、光ディスク１００は図１（ａ）から（ｄ）に示す構成を有しているため、ランドトラックＢの１トラック手前のグルーブトラックに沿ってビームスポットを移動させると、そのビームスポットは、図１（ｂ）の矢印Ａで示す境界線を超えて、目的とする記録開始トラック（ランドトラックＢ）に移動する。すなわち手前のグルーブトラックにおいてＰＬＬの引き込みを実行した後、そのままトラックジャンプを行うことなく、トラッキングを続け、やがてランドトラックＢに到達している。その後、ランドトラックＢにおいて目的とするセクタに達したとき、ライトゲートをアクティブにし、データ記録を開始する。
【００５６】
この例では、目的のランドトラックＢの１トラック手前のグルーブトラックまでシーク動作を行い、ＰＬＬの引き込みを行うため、ＰＬＬの引き込みを完了する前にランドトラックＢ上の目的セクタを通過してしまうことを防止できる。
【００５７】
図８（ａ）から（ｅ）は、図７（ａ）から（ｅ）に対応する図面であり、グルーブトラックＣからランドトラックＤに向けシーク動作を行った場合を示している。この例では、シーク動作の途中で、目的とするランドトラックＤよりも外周側に５トラックずれた位置に移動してしまった。そこで、グルーブトラック（−１）を目指してディスク内周側にトラックジャンプを行ったが、偶然、目的の記録開始トラック（ランドトラックＤ）にアクセスしてしまった。しかしながら、このランドトラックＤではＰＬＬの引き込みを完了できず、そのまま、次のグルーブトラック（＋１）に移動してしまい、そこでＰＬＬの引き込みを完了した。その後、目的とするランドトラックＤの１トラック手前に位置するグルーブラック（−１）にアクセスするため、ディスク内周側に２トラックだけジャンプした。こうして、グルーブトラック（−１）においてトラッキング制御をオンした状態でＰＬＬの引き込みを実行した後、そのままトラックジャンプを行うことなく、トラッキングを続け、やがてランドトラックＤに到達した。ランドトラックＤにおいて、目的とするセクタに達したとき、ライトゲートをアクティブにし、データ記録を開始した。
【００５８】
図８に示す例でも、目的のランドトラックＤの１トラック手前のグルーブトラック（Ｄ−１）でＰＬＬの引き込みを行うため、ＰＬＬの引き込みを完了する前に、ランドトラックＤ上の目的セクタを通過してしまうことを略確実に防止できる。
【００５９】
以上説明してきたように、本実施形態では、目的とするランドトラックに対して１トラック手前に位置するグルーブトラックにアクセスするようにシーク動作を実行する。この場合、グルーブトラックは相対的にジッタの少ない信号を発生させるため、ＰＬＬの引き込みを確実かつ短時間に行なうことが可能になる。また、本実施形態では、ＰＬＬの引き込みを完了した後、トラックジャンプを行わなくとも、ビームスポットが光ディスクの回転に従ってグル−ブトラックから１トラックだけ外周側に位置するランドトラックへとスムーズに移動することになる。このため、目的のセクタに達したときに、ライトゲートをアクティブにし、データ記録を開始することができる。
【００６０】
なお、Ｌ／Ｇ比が等しく、ランドトラックおよびグルーブトラックのウォブル信号のジッタが同等である場合も多い。また、未記録状態の光ディスクに対して最初のデータの記録を行うとき、ウォブル信号は記録マークの影響を受けない。これらのことを考慮すると、例えば、データを最初に記録するときは、目的とするトラックに直接アクセスするようにしてもよい。
【００６１】
また、ＰＬＬの引き込みに失敗し、リトライの回数が例えば５回を超えたとき、１トラック手前に位置するトラックにリトレースするようにしてもよい。このようにすることにより、通常の光ディスクに対してはアクセス性能を低下させることなく、しかも、ランド／グルーブ間でウォブル信号の品質に差異のある光ディスクに対しては、安定に記録再生動作を実現することができる。
【００６２】
次に図９を参照しながら、本実施形態におけるシークおよびＰＬＬ引き込み動作の基本的なフローを説明する。
【００６３】
まず、ステップＳ１で目的のトラックの「１トラック手前」のトラックへ移動するためのシーク動作を行う。次に、ステップＳ２で目的のトラックの１トラック手前のトラックに達したか否かを判定する。図７および図８に示す例では、目的トラックの１トラック手前のトラックに達する前に、他のトラックでＰＬＬの引き込み動作とアドレスの再生を行っているが、最終的には、目的トラックの１トラック手前のトラックでＰＬＬの引き込みを行っている。
【００６４】
ステップＳ２において目的のトラックの１トラック手前のトラックに達したと判断された場合は、そのトラックでウォブル信号に基づくＰＬＬの引き込みを開始した後、ステップＳ３においてＰＬＬの引き込みが完了したか否かを判断する。ＰＬＬの引き込みを完了した（ＰＬＬＯＫ）場合は、ステップＳ４に進み、目的トラックにおける記録開始セクタに達するまで待つ。光ディスクの回転に伴い、記録開始セクタに達すると、ステップＳ５で記録を開始する。
【００６５】
なお、ステップＳ３においてＰＬＬの引き込みが完了していないと判断された場合は、ステップＳ６に進む。ステップＳ６では、記録開始セクタ（ターゲット）を通過したか否かを判断し、通過したと判断された場合は、ステップＳ１に戻る。以下、目的のトラックの１トラック手前のトラックにシークし、同様の動作を繰りかえす。ステップＳ６で記録開始セクタを通過したと判断されなかったときは、ＰＬＬの引き込みを継続する。ステップＳ６でターゲットを通過し、目的トラックの手前のトラックに戻る動作を所定回数繰り返しても、ターゲット通過前にＰＬＬＯＫが出ない場合は、「エラー」が発生したことを表示し、記録または再生の動作を停止する。
【００６６】
上記のフローでは、シーク先を目的トラックの１つ手前のトラックに設定しているが、シーク先を目的トラックに設定するようにしてもよい。
【００６７】
また、ＰＬＬの引き込みに失敗し、リトライの回数が例えば５回を超えたとき、１トラック手前に位置するトラックにリトレースするようにしてもよい。このようにすることにより、通常の光ディスクに対してはアクセス性能を低下させることなく、しかも、ランド／グルーブ間でウォブル信号の品質に差異のある光ディスクに対しては、安定に記録再生動作を実現することができる。
【００６８】
以下、図１０を参照しながら、シーク先を目的トラックに設定する場合のフローを説明する。
【００６９】
この例では、まずステップＳ１１において、目的トラックへシークした後、ステップＳ１２において、目的トラックに達したか否かを判定する。ステップＳ１２で目的トラックに達したと判断された場合は、ウォブル信号に基づくＰＬＬの引き込みを行い、ステップＳ１３でＰＬＬの引き込みが完了したか否かを判断する。完了した（ＰＬＬＯＫ）場合、ステップＳ１４に進み、記録開始セクタに達するまで待つ。記録開始セクタに達すると、ステップＳ１５で記録を開始する。
【００７０】
なお、ステップＳ１３においてＰＬＬの引き込みが完了していないと判断された場合は、ステップＳ１６に進む。ステップＳ１６では、記録開始セクタを通過したか否かを判断し、通過したと判断された場合は、ステップＳ１７でリトライの回数が５以上か否かが判定される。リトライの回数が５回を超えない場合は、ステップＳ１８に進み、１トラック手前のトラック（目的トラックそのもの）に移動した後（リトレースを行った）後、ステップＳ１３に戻る。そして、あらためてＰＬＬの引き込み（リトライ）を行う。
【００７１】
目的トラックにおいてＰＬＬの引き込みが完了する前に記録開始セクタを通過した場合は、あらためてステップＳ１７に進む。リトライの回数が５回未満であれば、目的トラックに戻る（１トラックのリトレースを行う。）。リトライを繰り返すうちに、ＰＬＬ引き込みに成功した場合は、ステップＳ１３からステップＳ１４を経てステップＳ１５に進む。
【００７２】
ステップＳ１７でリトライの回数が５回以上であると判断されたときは、ステップＳ１９に進む。この場合、目的トラックを通過した後、そこから２トラック手前に位置するトラック（目的トラックの手前のトラック）にリトレースを行う。この例では、目的トラックにおいて通常のリトライを５回行ってもＰＬＬ引き込みを完了できなかった場合に初めて目的トラックの１トラック手前に移動し、ＰＬＬ引き込みを行う。図１０のフローでは、目的トラックに何らかの問題があり、ＰＬＬの引き込みに所定回数失敗したとき、目的トラックの１トラック手前でＰＬＬ引き込みにトライする点で、図９のフローと異なっている。
【００７３】
なお、目的トラックの１トラック手前でＰＬＬ引き込みを行う代わりに、２トラック以上手前でＰＬＬ引き込みを行っても良い。ただし、迅速なＰＬＬ引き込みを行うという観点からは、１トラック手前でＰＬＬ引き込みを行うことが好ましい。
【００７４】
（実施形態２）
次に、図１１を参照しながら本発明による光ディスク装置の第２の実施形態を説明する。図１１において、実施形態１における光ディスク装置の構成要素に相当する構成要素には同一の参照符号を与え、その説明は省略する。本実施形態の構成は、基本的には、実施形態１の構成と同様であり、異なる点は、以下の通りである。
【００７５】
位相比較回路１１０とＬＰＦ１１４との間にスイッチ２０２およびサンプルホールド回路２０４が挿入され、周波数検出回路１０９とＬＰＦ１１１との間にスイッチ２０３とサンプルホールド回路２０５が挿入されている。
【００７６】
システムコントローラ２００は、ＨＯＬＤ信号を出力することにより、位相比較回路１１０の出力及び周波数検出回路１０９の出力をホールドすることができるため、ＶＣＯ制御信号を一定値に保持できる。
【００７７】
ドライバアンプ１０２を介してディスクモータ１０１の回転パルスをサーボ制御回路１０５に取り込み、ディスクモータ１０１がシーク後のゾーンで所定の回転数になっているかを判定する。判定結果がＯＫであれば、ＭＳＹＮＣ信号をシステムコントローラ２００に出力する。光ディスク１００の回転数が規定の回転数に達する以前であっても、ＰＬＬロックが行われた状態のウォブル信号が安定に出力されていれば、一連のデータの記録及び再生が可能である。しかし、ディスクモータ１０１が所定の回転数に達していない場合、ウォブル信号のＰＬＬは、不安定となる可能性がある。
【００７８】
図１２を参照しながら、本実施形態におけるシーク後のＰＬＬ動作を説明する。図１２ａ）から（ｆ）は、それぞれ、システムコントローラ２００によって所望のトラックにシークし、記録に至る場合のＴＥ信号、Ｌ／Ｇ信号、ＰＬＬＯＫ、ディスクモータの回転同期ＯＫを示すＭＳＹＮＣ、ＰＬＬのホールド信号、およびライトゲート信号の各波形図である。
【００７９】
図１２の例では、ランドトラックＥからグルーブトラックＧに向けてシークを行ったが、偏心などの誤差により、一旦はグルーブトラックＧの手前に位置するランドトラックＦに達した。その後、再度グルーブトラックＧに向け６トラックのトラックジャンプ（ジャンピングシーク）ｂを行った。このジャンピングシークｂにより、目的の記録開始トラックであるグルーブトラックＧに達したが、そのトラックではウォブル再生信号のジッタが悪く、ＰＬＬの引き込みが遅れた。図１２中、矢印ｃで示す期間がＰＬＬ引き込みの遅れを示している。
【００８０】
このようにしてＰＬＬの引き込みが遅れたために、目的セクタを通過してしまうので、再び１トラックのジャンプｄを行うことにより、記録開始トラックＧに戻すためのリトレースを行なった。この例では、リトレースのためのジャンプｄにより、目的トラックに到達しているが、ディスクモータ１０１の回転数が目的のトラックが属するゾーンでの所定回転数に同期していなかった（ＭＳＹＮＣ＝“０”）。その結果、システムコントローラ２００は、ＨＯＬＤ信号をスイッチ２０２及び２０３に出力せず、リトレースのためのジャンプｄを再実行した。
【００８１】
この例では、トラックＧにおけるＰＬＬの引き込みが遅れたため、ＰＬＬＯＫが出力される前に目的セクタを通過した。そのため、ＰＬＬの制御ループをホールドしない状態（図１２中Ｎ）で、リトレースのジャンプｄを行った。このジャンプｄを行わないと、そのまま目的トラックＧに後続するランドトラックＨへ進んでゆくことになる。リトレースのための再ジャンプｄは、ＰＬＬをホールドしないで行ったため、ＰＬＬのロックは解除され、ＰＬＬＯＫは“Ｈｉｇｈ”レベルから“Ｌｏｗ”レベルに変化した。
【００８２】
しかし、所定の時間が経過し、ディスクモータ１００の回転が追従したため、ＭＳＹＮＣが“Ｌｏｗ”レベルから“Ｈｉｇｈ”レベルに変化した（図１２中Ｌ）。この場合は、目的トラックＧにおいてＰＬＬの引き込みをあらためて行い、後続するトラックＨに移動した後、ＨＯＬＤ信号が出力した状態で（図１２中のＭ）、すなわちＰＬＬをホールドしたまま、リトレースのためのジャンプを行なった。
【００８３】
このようにディスクモータが所定速度で回転していれば、ＰＬＬをホールドしたまま１トラックまたは２トラックのリトレースを行っても、ＰＬＬが不安定になることはない。すなわち、ＰＬＬをロックしたまま、目的トラックへリトレースのためのジャンプを行うことができ、速やかに目的セクタで記録を開始することができる。
【００８４】
本第実施形態によれば、ＰＬＬの引き込み動作が遅れても、確実に記録あるいは再生を開始することができ、安定なアクセス性能、記録動作を実現できる。
【００８５】
なお、上記各実施形態では、ＤＶＤ−ＲＡＭ規格に従うゾーンＣＬＶの光ディスクを用いているが、本発明はこれに限定されない。単なるＣＬＶやＣＡＶで動作する光ディスクに適用される。また、上記の各実施形態では、アドレスの記録方式としてＣＡＰＡが形成された光ディスクを用いているが、本発明は他のタイプの光ディスク、例えばウォブルトラック自体やその一部にアドレス情報を埋めこまれたＤＶＤ±Ｒ、ＤＶＤ±ＲＷなどの光ディスクにも適応され得る。本発明は、ＤＶＤ−ＲＡＭと同様にランド／グルーブに情報が記録されるＨＤ−ＤＶＤに適用しても優れた効果を得ることができる。
【００８６】
また、本発明の光ディスク装置で記録及び／または再生する光ディスクは、基材の片面に複数の情報層（データ領域と当該データ領域を管理する管理領域とを有する）を備える多層構成、単層または多層の情報層を基材の両面に備える両面構成の何れでも適用でき、さらに情報層が何れの構成であってもその記録密度も任意に設定することができる。
【産業上の利用可能性】
【００８７】
本発明は、ＤＶＤ−ＲＡＭやＨＤ−ＤＶＤのようにランドトラックおよびグルーブトラックの両方にデータを記録することのできる光ディスクに対して、ＰＬＬの引き込み動作を確実に行えるため、光ディスク装置の性能向上に寄与する。
【図面の簡単な説明】
【００８８】
【図１】（ａ）から（ｄ）は、ＤＶＤ−ＲＡＭの構成を示す図面であり、（ｄ）は、ＤＶＤ−ＲＡＭの規格に従って作製された光ディスク１００のトラック構造を模式的に示している。（ｂ）は、（ｄ）の破線で囲まれた領域を拡大した平面図である。図１（ａ）は、（ｂ）の矢印Ａの左側部分の断面図であり、（ｃ）は、（ｂ）の矢印Ａの右側部分の断面図である。
【図２】（ａ）は、光ビームが対物レンズによって光ディスク１００のランドトラック上に集束している状態を模式的に示す断面図であり、（ｂ）は、ランド／グルーブトラックの一部を示す平面図である。
【図３】（ａ）は、Ｌ／Ｇ比が１の場合の記録マークとランドトラックとの関係を示す平面図であり、（ｂ）は、その場合における光ビームの照射を示す断面図であり、（ｃ）は、このような記録マークが形成されたランドトラックから再生されたウォブル信号を示す図である。
【図４】（ａ）は、Ｌ／Ｇ比が１より小さい場合の記録マークとランドトラックとの関係を示す平面図であり、（ｂ）は、その場合における光ビームの照射を示す断面図であり、（ｃ）は、このような記録マークが形成されたランドトラックから再生されたウォブル信号を示す図である。
【図５】本発明による光ディスク装置の第１の実施形態を示すブロック図である。
【図６】（ａ）は光ディスクを示す平面図、（ｂ）は光ディスクの要部拡大図である。
【図７】本発明の実施形態１における各信号の波形などを示す図であり、（ａ）はＴＥ信号、（ｂ）はＬ／Ｇ判定部２０１の信号（Ｌ／Ｇ信号）、（ｃ）はＰＬＬのロックを示すＰＬＬＯＫ信号、（ｄ）は記録状態を示すライトゲート信号の各波形、（ｅ）は、光ディスク表面におけるランド／グルーブの凹凸を模式的に示す図である。
【図８】本発明の実施形態１における各信号の波形などを示す他の図であり、（ａ）はＴＥ信号、（ｂ）はＬ／Ｇ判定部２０１の信号（Ｌ／Ｇ信号）、（ｃ）はＰＬＬのロックを示すＰＬＬＯＫ信号、（ｄ）は記録状態を示すライトゲート信号の各波形、（ｅ）は、光ディスク表面におけるランド／グルーブの凹凸を模式的に示す図である。
【図９】実施形態１における記録動作を示すフローチャートである。
【図１０】実施形態１における他の記録動作を示すフローチャートである。
【図１１】本発明による光ディスク装置の第２の実施形態を示すブロック図である。
【図１２】本発明の実施形態２における各信号の波形などを示す図であり、（ａ）はＴＥ信号、（ｂ）はＬ／Ｇ判定部２０１の信号（Ｌ／Ｇ信号）、（ｃ）はＰＬＬのロックを示すＰＬＬＯＫ、（ｄ）はディスクモータの回転同期ＯＫを示すＭＳＹＮＣ、（ｅ）はホールド信号、（ｆ）は記録状態を示すライトゲート信号の各波形図である。
【符号の説明】
【００８９】
２０１  ランド／グルーブ判定部
２０２  スイッチ
２０３  スイッチ
２０４  サンプルホールド回路
２０５  サンプルホールド回路
【図１】
2006164495.tif 000003
【図２】
2006164495.tif 000004
【図３】
2006164495.tif 000005
【図４】
2006164495.tif 000006
【図５】
2006164495.tif 000007
【図６】
2006164495.tif 000008
【図７】
2006164495.tif 000009
【図８】
2006164495.tif 000010
【図９】
2006164495.tif 000011
【図１０】
2006164495.tif 000012
【図１１】
2006164495.tif 000013
【図１２】
2006164495.tif 000014